(57)【要約】      （修正有）【課題】管継手自体を撓曲可能にし、継手に伝達される振動、衝撃等の吸収ないしは緩衝を適切かつ良好に行い得るようにする。【解決手段】軸方向内部に第１の内部流路を形成し、結合端部側の第１の結合端面に第１の結合構造を設けた第１の主体部材と、軸方向内部に第２の内部流路を形成し、結合端部側の第２の結合端面に第２の結合構造を設けた第２の主体部材とを有し、該第１、第２の各主体部材の結合端面相互を、各内部流路間を連通させる第３の内部流路のある結合環部材で一連に結合保持した管継手の継手主体部装置であって、結合環部材が、比較的高強度で所要の吸振性、可撓性のある可塑性成形材料を用い、外周面径方向に複数の各突出リブ条環を突出形成して全一体的に成形結合されており、一連の各主体部材間を任意方向に撓曲可能にされるように構成する。【選択図】        図１
2004324696.tif 000002
【特許請求の範囲】
【請求項１】
軸方向内部に第１の内部流路を形成し、開放端部側に取付け接続部、結合端部側の第１の結合端面に第１の結合構造を設けた第１の主体部材と、軸方向内部に第２の内部流路を形成し、開放端部側に被接続部、結合端部側の第２の結合端面に第２の結合構造を設けた第２の主体部材とを有し、該第１、第２の各主体部材の結合端面相互を、各内部流路間を連通させる第３の内部流路のある結合環部材で一連に結合保持した管継手の継手主体部装置であって、
前記結合環部材が、比較的高強度で所要の吸振性、可撓性のある可塑性成形材料を用い、外周面径方向に複数の各突出リブ条環を突出形成して全一体的に成形結合されており、前記一連の各主体部材間を任意方向に撓曲可能にすると共に、許容撓曲の最終段階で各突出リブ条環の撓曲対応側の隣接部分相互が加圧当接されるように構成したことを特徴とする管継手の継手主体部装置。
【請求項２】
前記該第１、第２の角主体部材の結合端面相互には、結合内径の一部を拡径した第１、第２の各内周拡径溝が形成されており、前記結合環部材による一体化成形が該第１、第２の各内周拡径溝を介してもなされるようにしたことを特徴とする請求項１に記載の管継手の継手主体部装置。
【請求項３】
前記結合環部材が、第３の内部流路の全長もしくはほぼ全長を形成して所要の吸振性、可撓性のある比較的強靭な耐圧補強芯管を一体的に埋設していることを特徴とする請求項１または２の何れかに記載の管継手の継手主体部装置。
【発明の詳細な説明】
【０００１】
【発明の属する技術分野】
本発明は、被接続管部材を挿込み操作して接続させる管継手において、該管継手の主体部を構成する継手主体部装置に関し、特に、使用時に管継手を撓曲可能にすると共に、該管継手に伝達される振動等を効果的に吸収できるようにしたものである。
【０００２】
【従来の技術】
一般に、加圧空気等の加圧流体を利用する各種の機器装置類、例えば、手動空圧工具等においては、作動用の加圧流体の流動経路である導入口部や導出口部、それに、必要に応じて中継部等に予め管継手装置の一端基部側を装着固定させておき、該管継手装置の他端接続部側に対して、所要圧の加圧流体を流通させるための耐圧性でかつ可撓性を有する被接続管部材（耐圧チューブ、耐圧ホース等）の接続端部を着脱自在に嵌挿接続させると共に、該嵌挿位置（接続位置）で引留め係止して接続状態に拘束保持させ、また、該接続状態のまま、被接続管部材の引留め拘束を解除して離脱除去させ得るように機能構成している場合が多く、中でも各係脱動作をワンタッチ操作で行い得るようにした、いわゆるワンタッチ着脱型管継手装置の構成がよく知られており、該ワンタッチ着脱型管継手装置に関しては、本発明者においても、例えば、特開平８−２７７９８５号公報、特開平９−６８２９３号公報、特開平９−９６３８４号公報、または特開平９−１８４５８８号公報に開示されているように、既に従来から数多くの新規な装置構成を種々提案かつ実施している。
【０００３】
【発明が解決しようとする課題】
而して、この種のワンタッチ着脱型管継手装置においては、取扱い対象の作動流体が比較的高圧に設定された加圧流体であることから、該加圧流体の流路を構成する被接続管部材や各要所に配備される管継手装置には、安全性を見込んだ相応の耐圧性が必要である。このために、該被接続管部材に関しては、与えられる耐圧構造と、内部を通流する加圧流体によって加えられる圧力とで使用時の剛直度が増加する傾向にあり、特に、手先で搬持して使用する手動空圧機器類、例えば、手動空圧工具の場合には、使用に際し、手先で把持したまま、任意に移動して駆使する必要上、該被接続管部材には、その移動操作に敏速かつ良好に追従させるだけの可撓性が要求される。
【０００４】
一方、前記管継手装置に対しては、通流される加圧空気に関して、導入側からは加圧のための空気圧縮源に起因する絶え間のない振動、衝撃等が不断に伝達され、かつ該伝達される振動、衝撃等が被接続管部材を通して手動空圧機器類側にも伝播されることになり、またこれとは逆に、手動空圧機器類側からは移動しながらの機器作動の際の空気圧吐出および作動後の空気排出等に伴う各種の振動、衝撃等が被接続管部材を介して伝達され、かつ該伝達される振動、衝撃等が管継手装置を通して空気圧縮源側にも伝播されるという現象を招来し、これらの各現象のために該管継手装置自体はもとよりのこと、空気圧縮源側や手動空圧機器類側および作業者に種々の好ましくない結果を与える惧れがあった。
【０００５】
以上のような管継手装置の使用中における振動、衝撃等に基づく弊害は、加圧空気、すなわち加圧流体の該当流路内に該振動、衝撃等に対する実質的な振動吸収機構ないしは振動緩衝機構等を新たに介在させることによって或る程度までは対処できるのであるが、この種の振動吸収機構ないしは振動緩衝機構等を該当流路内に対して別に介在させることは、該流路系自体の徒らな複雑化や、煩雑さ等を招き、かつ作業性を阻害するばかりか、故障の原因ともなる等の好ましくない種々の問題点を生じ、必ずしも有効な対処手法ではないものと言える。
【０００６】
本発明は、このような従来の問題点を解消するためになされたものであり、その目的とするところは、管継手自体を撓曲可能にすると共に、該管継手に伝達される振動、衝撃等の吸収ないしは緩衝を適切かつ良好に、しかも効果的に行い得るようにした管継手の継手主体部装置を提供することである。
【０００７】
【課題を解決するための手段】
上記目的を達成するため、本発明に係る請求項１に記載の管継手の継手主体部装置は、
軸方向内部に第１の内部流路を形成し、開放端部側に取付け接続部、結合端部側の第１の結合端面に第１の結合構造を設けた第１の主体部材と、軸方向内部に第２の内部流路を形成し、開放端部側に被接続部、結合端部側の第２の結合端面に第２の結合構造を設けた第２の主体部材とを有し、該第１、第２の各主体部材の結合端面相互を、各内部流路間を連通させる第３の内部流路のある結合環部材で一連に結合保持した管継手の継手主体部装置であって、
前記結合環部材が、比較的高強度で所要の吸振性、可撓性のある可塑性成形材料を用い、外周面径方向に複数の各突出リブ条環を突出形成して全一体的に成形結合されており、前記一連の各主体部材間を任意方向に撓曲可能にすると共に、許容撓曲の最終段階で各突出リブ条環の撓曲対応側の隣接部分相互が加圧当接されるように構成したことを特徴としている。
【０００８】
本請求項１の管継手の継手主体部装置では、第１、第２の各主体部材の相互が結合環部材によって全一体的に結合保持されると共に、該結合状態において、所要の吸振性、可撓性が得られる。
【０００９】
本発明に係る請求項２に記載の管継手の継手主体部装置は、前記請求項１の管継手の継手主体部装置において、
前記該第１、第２の各主体部材の結合端面相互には、結合内径の一部を拡径した第１、第２の各内周拡径溝が形成されており、前記結合環部材による一体化成形が該第１、第２の各内周拡径溝を介してもなされるようにしたことを特徴としている。
【００１０】
本請求項２の管継手の継手主体部装置では、第１、第２の各主体部材の結合環部材による結合が、第１、第２の各内周拡径溝の存在によって十分に強化されることになる。
【００１１】
本発明に係る請求項３に記載の継手主体部装置は、前記請求項１または２の何れかの管継手の継手主体部装置において、
前記結合環部材が、第３の内部流路の全長もしくはほぼ全長を形成して所要の吸振性、可撓性のある比較的強靭な耐圧補強芯管を一体的に埋設していることを特徴としている。
【００１２】
本請求項３の管継手の継手主体部装置では、結合環部材の強度が耐圧補強芯管の介在によって一層高められる。
【００１３】
【発明の実施の形態】
以下、本発明に係る管継手の継手主体部装置の各別の実施形態につき、図１ないし図３を参照して詳細に説明する。なお、これらの実施形態各図の構成において、図中、同一符号は同一または相当部分を示している。
【００１４】
〔第１実施形態〕
図１は、本発明の第１実施形態を適用した基本形式による継手主体部装置の概要構成を示し、同図（ａ）は同上装置全体の外観側面図、同図（ｂ）は同上装置の縦断面図、同図（ｃ）は同上撓曲状態の一例による側面説明図である。また、図２は、同上図１（ｂ）のＡ−Ａ線部における横断面図である。
【００１５】
これらの図１、図２に示す装置構成において、第１実施形態による継手主体部装置１０は、
開放端部の取付け側外周面に所要構造の取付け部、例えば、図示省略した加圧流体作動型の手動工具などを螺着結合するための雄螺条１２、および螺装操作スパナ掛け用の六角頭部１３を外周面に形成させると共に、結合端部側の端面に対して、内周側で軸方向へ深目に切り込ませた第１の内周結合端面１４、外周側で軸方向へやや浅目に切り込ませた第１の外周結合端面１５、各端面１４，１５間をやや外周寄りで区分して軸方向へ所要長さに周突出させ、かつ等角間隔で径方向に複数からなる第１の結合孔１７を穿設させた第１の引留め固定環１６を形成させ、さらに、軸方向の中心内部に第１の内部流路１８を貫通形成させた比較的剛性の高い適切な材料、例えば、樹脂や金属などの剛体材料を用いた第１の主体部材１１と、
開放端部側にあって、所要の接続係脱機構、例えば、周知のワンタッチ着脱型管継手装置の接続係脱機構を着脱可能に接続させるための所要外周面形状、この場合には接続導入カム面３３ａ、および係留周溝３３ｂからなる被接続部３２を形成させると共に、前記と同様に結合端部側の端面に対して、内周側で軸方向へ深目に切り込ませた第２の内周結合端面３４、外周側で軸方向へやや浅目に切り込ませた第２の外周結合端面３５、各端面３４，３５間をやや外周寄りで区分して軸方向へ所要長さに周突出させ、かつ等角間隔で径方向に複数からなる第２の結合孔３７を穿設させた第２の引留め固定環３６を形成させ、さらに、軸方向の中心内部に第２の内部流路３８を貫通形成させた比較的剛性の高い適切な材料、例えば、樹脂や金属などの剛体材料を用いた第２の主体部材３１と、
前記第１、第２の各主体部材１１，３１の相互間、この場合には第１、第２の各引留め固定環１６，３６を含む第１、第２の各結合端面１４および１５，３４および３５の相互間を所要の軸方向長さで全一体的に結合する結合部材として、前記第１、第２の各結合孔１７，３７を含む第１、第２の各引留め固定環１６，３６を包括して咬着結合し、かつ所要の軸方向長さで前記第１、第２の各内部流路１８，３８に連通する同一内径の第３の内部流路５２を形成させると共に、該咬着結合部を経た軸方向長さの両端部付近で径方向突出外径を比較的小さくかつ長さ方向中間部へかけて径方向突出外径を次第に大きくし、かつ許容撓曲の最終段階で撓曲側部分が相互に加圧当接される複数の各突出リブ条環５３を配してなる比較的高強度で所要の吸振性かつ可撓性のある適切な材料、例えば、樹脂材料（可塑性成形材料）を用いて一体化成形した結合環部材５１とをそれぞれに有している。
【００１６】
ここで、前記第１、第２の各主体部材１１，３１の各内外周結合端面１４および１５，３４および３５から周突設させる第１、第２の各引留め固定環１７，３７に関しては、前記結合環部材５１を介した全一体的な結合保持を効果的に行わせるための第１、第２の各結合孔１８，３８のほかにも、必要に応じて結合面全体に適当する接着剤を塗布形成させて用いること、ひいては接着手段を併用するのがより一層効果的である。
【００１７】
そして、前記結合環部材５１については、成形後に比較的高強度で所要の吸振性かつ可撓性を与え得る樹脂材料として、例えば、ポリウレタン樹脂、ポリエステル樹脂、ポリエーテル樹脂、ポリ塩化ビニル樹脂等の選択された樹脂材料を用い、所定の成形金型による射出成形（いわゆるインナー成形）で所要の形状、この場合には、前記第１、第２の各内部流路１８，３８に連通する第３の内部流路５２を形成すると共に、外周面に複数の突出リブ条環５３を配した構造に一体化賦形して構成する。
【００１８】
この結果、該賦形構造に伴い、結合環部材５１の両端部が第１、第２の各内外周結合端面１４および１５，３４および３５内にまで十分に入り込むと共に、第１、第２の各引留め固定環１６，３６に対しては、第１、第２の各結合孔１７，３７を通した強力な咬着保持がなされることになり、第１、第２の各主体部材１１，３１と結合環部材５１との緊密な一体化構造が容易に得られるのである。
【００１９】
そして、前記樹脂成形による結合環部材５１の一体化構造では、図１（ｃ）に示す如くに、使用時における許容角度範囲までの撓曲の最終段階で、中間の突出リブ条環５３ａを基準にして、該各突出リブ条５３の撓曲側部分が相互に加圧突当て当接されることにより、装置の全体構造に外部から及ぼされる振動、衝撃等が可及的に緩和されると共に、前記結合環部材５１に対しても、第１、第２の各主体部材１１、３１と同等の剛性が与えられ、さらには、これに合わせて振動、衝撃等の良好な吸収性を有意義かつ効果的に図り得るのである。
【００２０】
〔第２実施形態〕
図３は、本発明の第２実施形態を適用した継手主体部装置の概要構成を示す半截断面図である。
【００２１】
本第２実施形態による継手主体部装置１０ａは、前記第１実施形態の継手主体部装置１０の構成において、第１、第２の各主体部材１１，３１での第１、第２の各内周結合端面１４，３４の内端面部に対し、その内径をより拡径した第１、第２の各内周拡径溝１４ａ，３４ａを形成させ、前記第１、第２の各主体部材１１，３１相互の結合環部材５１による一体化結合に際し、これらの第１、第２の各内周拡径溝１４ａ，３４ａ内に樹脂材料がゆきわたって結合強度をより一層高め得るようにしたものである。
【００２２】
従って、本第２実施形態の継手主体部装置１０ａでは、前記第１実施形態による継手主体部装置１０と同等の作用、効果に加え、前記第１、第２の各主体部材１１，３１相互の結合環部材５１による一体化結合が、第１、第２の各内周拡径溝１４ａ，３４ａ内への樹脂材料の完全充填によって十分に強化されることになる。
【００２３】
〔第３実施形態〕
図４は、本発明の第３実施形態を適用した継手主体部装置の概要構成を示し、同図（ａ）は同上装置全体の外観側面図、同図（ｂ）は同上装置の縦断面図である。
【００２４】
本第３実施形態による継手主体部装置１０ｂは、前記第１実施形態の継手主体部装置１０の構成において、前記結合環部材５１に対し、その第３の内部流路５２の部分の全長もしくはほぼ全長に亘って所要の吸振性、可撓性のある比較的強靭な耐圧補強芯管、例えば、編み目状に強靭な合成糸を内蔵するチューブ、いわゆる耐圧チューブからなる耐圧補強芯管５４を一体的に埋設して組み込んだものである。
【００２５】
従って、本第３実施形態の継手主体部装置１０ｂでは、前記第１実施形態による継手主体部装置１０と同等の作用、効果に加え、前記結合環部材５１の強度が耐圧補強芯管５４の介入によって格段に向上されることになる。
【００２６】
【発明の効果】
以上、各実施形態によって詳述したように、本発明に係る管継手の継手主体部装置によれば、第１、第２の主体部材の相互を所要硬度で吸振性、可撓性のある結合環部材により全一体的に結合保持させて構成したから、装置自体に所要の強靭性を保持させた上で所要の吸振性、可撓性を有すると共に、該装置を撓曲可能な状態のままで、装置に伝達して加えられる振動、衝撃などを良好かつ効果的に吸収して解消、もしくは格段に低減できるという優れた特長を発揮し得るのであり、しかも、極めて簡単な構造であって容易に実施できるなどの実用上有益な効果がある。
【図面の簡単な説明】
【図１】本発明の第１実施形態を適用した基本形式による継手主体部装置の概要構成を示すものであって、同図（ａ）は同上装置全体の外観側面図、同図（ｂ）は同上装置の縦断面図、同図（ｃ）は同上撓曲状態の一例による側面説明図である。
【図２】同上継手主体部装置での図１（ｂ）のＡ−Ａ線部における横断面図である。
【図３】本発明の第２実施形態を適用した基本形式による継手主体部装置の概要構成を示す半截断面図である。
【図４】本発明の第３実施形態を適用した継手主体部装置の概要構成を示すものであって、同図（ａ）は同上装置全体の外観側面図、同図（ｂ）は同上装置の縦断面図である。
【符号の説明】
１０、１０ａ、１０ｂ  管継手の継手主体部装置
１１              第１の主体部材
１２              雄螺条
１３              六角頭部
１４              第１の内周結合端面
１４ａ            第１の内周拡径溝
１５              第１の外周結合端面
１６              第１の引留め固定環
１７              第１の結合孔
１８              第１の内部流路
３１              第２の主体部材
３２              被接続部
３３ａ            接続導入カム面
３３ｂ            係留周溝
３４              第２の内周結合端面
３４ａ            第２の内周拡径溝
３５              第２の外周結合端面
３６              第２の引留め固定環
３７              第２の結合孔
３８              第２の内部流路
５１              結合環部材
５２              第３の内部流路
５３              突出リブ条環
５３ａ            中間部の突出リブ条環
５４              耐圧補強芯管
【図１】
2004324696.tif 000003
【図２】
2004324696.tif 000004
【図３】
2004324696.tif 000005
【図４】
2004324696.tif 000006